(57)【特許請求の範囲】
【請求項１】
成型編み機を使用して上下所定コース幅毎に異なる編み密度、編み組織又は糸使いにより筒編みを行い、フロント部は筒編みの過程でその全コースに渡り非伸縮性の糸による添え糸編みを行って非伸縮性で強いパワーを付与し、筒編み完了後、不要生地部分を切除すると共に、左右カップ相当部分を切除して該部分に別生地のカップ布を縫着することを特徴とするブラジャーの製造方法。
【請求項２】
複数の異なる色の先染め糸を用い、上下適当なコース幅で糸を切替えることにより、上下に色の変化に富んだボーダー柄のブラジャーとする請求項１記載のブラジャーの製造方法。
【請求項３】
上下に所定のコース幅で異なる編み密度、編み組織又は添え糸の有無により編成されたブラジャーであって、フロント部はその全コースに渡って非伸縮性の糸により添え糸編みされてなることを特徴とするブラジャー。
【請求項４】
前記ブラジャーは上下編成の異なる３層からなり、下段層のアンダーテープ部は強い伸縮力を有し、中段層は比較的弱い伸縮力を有し、上段層は伸びの良い中程度の伸縮力を有してなる請求項３記載のブラジャー。
【発明の詳細な説明】
【０００１】
【発明の属する技術分野】
本発明は、縫合部が少なくて着用感の良好なブラジャーを製造する方法とそのブラジャーに関するものである。
【０００２】
【従来の技術】
従来、ブラジャーを製造するには、例えばカップ部分、フロント部（センター部）、フロント脇部、脇部のパターンを決め、これをもとに最もロスの少ない型入れ図を検討し、その各部位に応じてパワー（伸縮力）や組織の異なる生地を選択決定し、これら生地に上記型入れ図を合せて裁断して、カップ布、フロント布、フロント脇布、脇布等を得、これらを縫合し、更にこれにストラップ、アンダーテープ、フック部等を取付けて完成させる。
【０００３】
このように、従来のブラジャーは部位によってパワーや生地を変える必要から、異なった生地を用いて縫合するので、縫製工程が多くなり、高度の縫製技術を必要とするだけでなく、縫合部が多いのでゴロツキ等により着用感が悪くなったり、ブラジャーを外した肌に縫合部の跡が残る等の欠点があった。
【０００４】
また、縫合部が多いと、繰り返しの着用や洗濯により縫合部がほつれたり、更に部位によって組織の異なる生地を染色して統一した色目に合せるため、何回も染め直しを繰返して色目を合わせる必要があるなど、製造が非常に面倒であった。
【０００５】
【発明が解決しようとする課題】
本発明は、これら従来のブラジャーの製造過程における問題点や完成ブラジャーの欠点に鑑みて創案されたもので、縫製工程を大幅に減少させ、得られるブラジャーは肌触りが滑らかで、着用感の良好なブラジャーの製造方法とその新規なブラジャーを提案するものである。
【０００６】
【課題を解決するための手段】
本発明では、成型編み機を使用して筒編み（丸編み）を行う過程で上記した部位毎に目的とするパワーや組織に編成し、ブラジャーとして一連の生地を製作してしまうもので、部位毎の裁断と縫合せを不要とし、縫製工程を少なくするものである。上記成型編み機は、最近特にストッキングの製造に使用され始めたもので、コンピュータ制御により、任意に編み密度や編み組織、糸の追加や変更等が自由かつ簡単にになし得るものである。
【０００７】
即ち、本発明の一つは、アンダーテープ部、フロント部、フロント脇部、脇布部などブラジャーとしての一連の生地を成型編み機を使用した筒編みにより連続的に製作するブラジャーの製造方法であって、該筒編みの過程でブラジャーの上記各部位に応じて編み密度及び又は編み組織を切替え、あるいは糸の追加又は変更を行って各部位に所定のパワー及び又は伸びを付与し、しかる後に該筒編み生地を切り開き、不要な生地部分を切除してブラジャー形状とすることを特徴とするブラジャーの製造方法である。
【０００８】
この場合、前記ブラジャー形状とする際、カップ相当部分は切除して、別生地により製作したカップ布を該部分に縫合するようにしても、また上記カップ相当部分は切除することなく、そのままカップ布として使用し、該部分にモールド加工を行って、膨出した型を付与するようにすることもできる。
【０００９】
また、前記筒編み過程におけるフロント部と左右フロント脇部との編成の切替え線の上端はそれぞれ縫合するカップ布下端よりやや内側に接し、その下端はブラジャーのセンター側に寄って互いに下方が接近方向へ傾斜し、また左右のフロント脇部と脇布部との切替え線の上端は縫合するカップ布の下側半周の外側中間部に接し、その下端はそれぞれ外側方向へ傾斜するようにすれば、着用感が更に良好となる。
【００１０】
さらに、前記筒編みした連続生地を背中側で切り開くことなく、その上辺を所定形状に裁断して筒状のブラジャーとすれば、縫合部のない胸の回りを完全に一周するブラジャーとなる。
【００１１】
また、本発明の別の発明は、成型編み機を使用して上下所定コース幅毎に異なる編み密度、編み組織又は糸使いにより筒編みを行い、フロント部は筒編みの過程でその全コースに渡り非伸縮性の糸による添え糸編みを行って非伸縮性で強いパワーを付与し、筒編み完了後、不要生地部分を切除すると共に、左右カップ相当部分を切除して該部分に別生地のカップ布を縫着することを特徴とするブラジャーの製造方法である。
【００１２】
この場合、複数の異なる色の先染め糸を用い、上下適当なコース幅で糸を切替えることにより、上下に色の変化に富んだボーダー柄のブラジャーとすることが可能となる。
【００１３】
また、本発明の他の発明は、成型編み機による筒編みを行ってブラジャーの連続生地を上下対象に編成し、これを上下中間で折り返すことにより二重生地のブラジャーとするもので、これによりパワーを更に付与することもできる。
【００１４】
また、本発明における前記筒編みを行う際、先染め糸による添え糸編みを行ってブラジャーの連続生地の任意の位置にロゴマーク及び又は図柄を編み出すようにしてもよい。
【００１５】
また、本発明は、ブラジャーを構成するアンダーテープ部、フロント部、左右のフロント脇部及び脇布部が筒編みにより連続的に編成された縫合部を有しないブラジャーであって、上記各部位は異なる編み密度、編み組織又は添え糸の有無により編成されて各部位毎に目的とするパワー又は伸びが付与されてなることを特徴とするブラジャーに関するものである。
【００１６】
また、本発明は、上下に所定のコース幅で異なる編み密度、編み組織又は添え糸の有無により編成されたブラジャーであって、フロント部はその全コースに渡って非伸縮性の糸により添え糸編みされてなることを特徴とするブラジャーにも関する。
【００１７】
この場合、このブラジャーは上下編成の異なる３層からなり、下段層のアンダーテープ部は強い伸縮力を有し、中段層は比較的弱い伸縮力を有し、上段層は伸びの良い中程度の伸縮力を有するようにすることができる。
以下、本発明の実施形態を図により説明する。
【００１８】
【発明の実施の形態】
参考例１
図１は参考例として上記成型編み機により筒編み（丸編み）された状態のブラジャー生地の一例を示す説明図、図２はこの筒編み生地を切り開き、不要部分をカットしてカップ及びフック部を縫着した状態の正面説明図、図３はこれに更にストラップを取付けた完成品ブラジャーの斜視図である。
【００１９】
図１中の符号１は完成品ブラジャーにおける左右両カップ間にあるフロント部、２は両カップ下から脇前までの左右フロント部、３は該フロント脇部２に連接されて背中側に至る脇布部、４は筒編生地の下周縁に沿って若干の幅をもって１周するアンダーテープ部にそれぞれ相当するものであり、また５、５は左右カップ生地６、６を縫着するカップ相当部分、７は不要生地部分としてそれぞれ裁断除去される部分を示している。
【００２０】
この生地を編成する場合、円周方向に回転編成しながら連続した１つのブラジャー生地を得るのであるが、まずアンダーテープ部４の上辺に該当するライン部分４ａからスタートする。アンダーテープ部４は最も強いパワーと伸縮性を必要とするので、例えばポリウレタン糸にウーリーナイロン糸をカバリングしたシングルカバリングヤーンとウーリーナイロン糸にポリウレタン糸を添え糸し、先にメーキャップを編成後、アンダーテープ部４の下辺４ｂへ向って編成して行ってから上方へ反転するようにして袋編みを行い、伸縮力の強い所定幅のアンダーテープ部４を形成する。
【００２１】
そこで、次にフロント部１、フロント脇部２、脇布部３を連続的に編成して行くが、このときフロント部１からフロント脇部２へ、またフロント脇部２から脇布部３へ移る縦方向の切替え線８及び９において、異なる編成方法に切替えることにより、各部位に必要なパワーあるいは伸縮性を付与する。
【００２２】
即ち、フロント部１にあっては伸縮しないようにする必要から、例えば上記シングルカバリングヤーンとウーリーナイロン糸をプレーティングし、更にウーリーナイロン糸を全コースに渡って添え糸してプレーン組織により編成するか、又は３コースタックもしくはフロートとして編目を密にして、カップ相当部分５、５の内部半部も含めて編成し、フロント脇部２は中程度の伸びが好ましく、例えば上記カバリングヤーンとウーリーナイロン糸を使用して１コース置きにウーリーナイロン糸を添え糸してプレーン編みしたり、２コースタックもしくはフロートにより比較的密に編成する。また、脇布部３は最も伸びを必要とし、パワーは小さくてよいので、例えば上記カバリングヤーンとウーリーナイロン糸を用い、プレーン組織又は１コースタックで編み密度を粗にして編成して行く。
【００２３】
このように縦の切替えラインで編み密度や編み組織を変え、あるいは必要な部位に添え糸編みを行い、パワーや伸縮性を変えるのである。
【００２４】
そして、このようにして完全円筒状の編み生地が得られたら、後ろ中心で左右に切り開き、左右のカップ相当個所５、５の略半円の切除ライン５ａ、５ａ及び不要生地部分７の切除ライン７ａに沿って裁断して該部分５、５及び７を除去する。そして、カップ相当個所５、５にはレースや不織布等で構成したカップ布６、６を上記切除ライン５ａ、５ａに沿って縫合し、またフロント脇部２から脇布部３へ至る上端部は折り返すか又は伸縮性テープを縫着して必要なパワーを付与し、左右脇布部３、３の開放端部にはそれぞれフック部１０、１０を縫着すると共に、左右カップ布６、６の上辺の所定個所にはストラップ１１、１１を取付けるのである。
【００２５】
なお、上記説明ではカップ布６をあらかじめ製作しておいて、筒編み生地のカップ相当個所５をカットした部分に縫合する例を示したが、この個所５を裁断することなくカップ布６として残し、この部分は必要によりたるみが出るように編成して、その上辺を通常のカップのラインに裁断してから、モールド加工（熱セット）により膨出した型を付与し、更に補強布を縫着してカップ布６を構成するようにしてもよい。
【００２６】
参考例２
図４は図１における縦の切替え線８、９を斜め方向に変更した例を示すもので、筒編み時におけるアンダーテープ部４、フロント部１、フロント脇部２、脇布部３自体の糸使いや編み組織等は上記実施例１と同様でよいが、フロント部１とフロント脇部２との切替え線８、８の上端は縫合したときのカップ６の下端よりそれぞれやや内側に来るようにし、アンダーテープ４上辺に達する下端はブラジャーのセンター側に寄って互いに下方が接近方向へ傾斜するようにする。
【００２７】
また、フロント脇部２と脇布部３との切替え線９、９の一端は縫合したときのカップ６の下側半周部の外側中間部に来るようにし、アンダーテープ４上辺に達する他端は更に外側方向へ傾斜されるようにする。
【００２８】
このように切替え線８、９を傾斜させることにより、特にパワーが比較的小さくて伸びのある脇布部３がカップ６、６の下半外側上部に接続するため、カップ６上辺の胸への締着け力が他の部分より小さくなり、かつ伸縮性があるため、着用感が良くなる。
【００２９】
参考例３
上述の例は、いずれも成型編み機で筒編みした連続生地を背中側縦中心線で切り開いてから、上辺部の所定個所を裁断するものであるが、図５はこの筒編み生地を切り開くことなく、上辺の所定個所を裁断して筒状のブラジャーとする例を示している。
【００３０】
この場合には、ブラジャーの長さ調節が不能であるので、背中側全体まで続く脇布部３はアンダーテープ部４の伸縮力とほぼ同じ又はそれに近いパワーを付与する必要がある。また、カップ相当個所５を切除してそこに別生地のカップ布を縫合してもよいが、先述したように該個所５を裁断しないで、この部分をたるみをもたせて編成し、その上辺を適切なラインにカットしてからモールド加工を行ってカップ形状６に形成して、ストラップレスとすることができる。そして、必要によりカップ内側に補強布を縫着したり、ストラップを取付けるようにする。この実施例３によれば、縫合部のない完全に一周する連続生地で構成されたブラジャーとなる。
【００３１】
実施例
図６は本発明の方法による筒編み状態のブラジャー生地を示す説明図、図７はこの生地を使用したブラジャーの正面説明図であり、この場合には生地の上下方向に所定の幅で編み密度又は編み組織が異なり、あるいは糸替えが行われ、切替え線が円周方向に複数段（図では３段）設けられて、層状にパワーや伸縮性が異なるように編成されている。
【００３２】
この場合、下段のアンダーテープ部４だけは前述までと同様で、例えばポリウレタン糸にウーリーナイロン糸をカバリングした糸とウーリーナイロン糸にポリウレタン糸を添え糸して編成して強い伸縮力を付与し、切替え線１４に来たときに、上記カバリング糸とウーリーナイロン糸のみに糸替えして、編み密度を粗にして編成したり、タック編みを行って比較的弱いパワーの中段層１２を編成し、切替え線１５に来たときには上記カバリング糸とウーリーナイロン糸にポリウレタン糸を添え糸して、編目を密にしてプレーン編みするかタック編みを行って、中段層よりパワーの強い上段層１３を編成する。
【００３３】
ただし、このときフロント部１を編成する場合には、この部分１に非伸縮性で強いパワーを付与する必要があるので、中段層１２や上段層１３を編成している途中で、例えばフロント部１の全コースにナイロン糸を添え糸してプレーン編みするか、編み密度を極く密にして編成するようにする。
【００３４】
そして、筒編み完了後、不要生地７を切除すると共に、左右カップ相当部分５を切除して別生地のカップ布６を縫着することは前記実施例１と同様である。なお、左右カップ相当部分５を切除しないで、そのままカップ布６として用い、この部分５にたるみをもたせて編成し、その上辺を適切なラインにカットしてからモールド加工を行って膨出したカップ形状に形成しても良いことは前述と同様である。
【００３５】
このように、上下所定幅で異なる編み密度、編み組織又は糸使いを行って層状に形成されたブラジャーは、脇部にも適度なパワーが付与されるので、脇のぜい肉を横に逃さず、胸を中央に寄せる力が生じ、しかも横縞模様のきれいな従来にない極めて意匠的効果のあるブラジャーとなる。
【００３６】
また、使用する成型編み機の給糸口が例えば８口、給糸フィンガーが各６〜７個有するような場合には、各フィンガーに異なった色の先染め糸を準備しておき、適当なコース幅で糸を切り替えることにより、８コース毎にカラーの違う横ボーダー柄を作ることも可能となり、上下に色の変化に富んだブラジャーを製造することができることとなる。
【００３７】
参考例４
図８は、ブラジャーの連続生地を上下対称に編成して行って、上下中間で折り返すことにより、ブラジャーの生地を二重として、必要なパワーを付与する例を示したもので、実線で示される横長の長方形が筒編みした生地を背中側中心で左右に切り開いた状態を示している。
【００３８】
この場合には、この生地の上辺１６が編み立てのスタート位置であり、下方へ向って編成して行く。このとき、実施例１、２のようにフロント部、脇布部等の各部位に応じて編み密度、編み組織等を変えたり、実施例４のように上下方向に所定幅で編み密度、編み組織等を変えることは任意であり、アンダーテープ部４位置に来たら添え糸を行い更に袋編みを行うことにより強い伸縮力を付与し、アンダーテープ部４の上辺のライン（Ｘ−Ｘ線）を挟んで下側は上側と対象に編成する。
【００３９】
そして、このようにして筒編みが完了したら、上記Ｘ−Ｘ線で折り返して二重生地とし、カップ相当個所５や不要部分７を切除し、カップ布６やフック部分１０、ストラップ１１を取付けるのは、実施例１と同様である。
【００４０】
また、図示していないが、生地を折り返して二重とするのではなく、生地全体を最初から二重編みにしてもよいことは勿論である。
【００４１】
参考例５
前記したように、最近の成型編み機では、コンピュータ制御により、編成の途中で編み密度や編み組織を変更できるだけでなく、糸の追加や糸替えも簡単に行うことができる。
【００４２】
従って、上記連続生地によるブラジャーの編成過程で柄出しやロゴマーク編みも容易に行うことができ、図９に示すように、例えばアンダーテープ部４の編成途中で先染め糸による添え糸を行って文字等のロゴマーク１７を浮き出るように編んだり、その他任意の部分に文字やスパイラル柄、タック柄等の図柄１８を編み出すこともできる。
【００４３】
【発明の効果】
本発明法によるブラジャーは上述のようにしてなり、次の利点を有する。
(1) ブラジャーの部位毎に異なるパワー（伸縮力）や伸びを付与した連続生地を成型編み機により筒編みし、不要な部分を切除することにより、ブラジャーを製造するので、縫製個所が少なくなり、それだけ縫製技術の習熟も早くなり、縫製に要する時間が短縮され、品質良好なブラジャーを多量生産できる。
【００４４】
(2) 縫製部分が少ないので、ブラジャーを着用したときの縫合部のゴロツキ感やツッパリ感が少なくなり、肌触りが滑らかとなって、着用感が良好となる。また、縫合部からのほつれもそれだけ少なくなる。
【００４５】
(3) 縫合する生地部材が少なくなるので、型入れ図の検討時間が省略できるだけでなく、染色による色合せも容易となる。
【００４６】
(4) フック部とストラップ以外を全て連続生地で編成したり、上下で色の異なる横ボーダ柄のブラジャーの製作も縫合部なしで製作することも可能となる。
【図面の簡単な説明】
【図１】  成型編み機により筒編みされた状態の製造過程の参考例を示すブラジャー生地の説明的斜視図である。
【図２】  図１の筒状生地を切り開いて不要部分を切除し、カップ布とフック部を縫着した状態の正面説明図である。
【図３】  図２に示すブラジャーにストラップを取付けた状態の完成品ブラジャーの斜視図である。
【図４】  切替え線を変更して編成する他のブラジャーの参考例を示す説明図である。
【図５】  筒編み生地を切り開くことなく製作した他のブラジャーの参考例を示す説明図である。
【図６】  上下方向で異なる編成方法とした本発明の方法による筒編み状態のブラジャー生地の説明的斜視図である。
【図７】  図６の生地を用いたブラジャーの正面説明図である。
【図８】  他の参考例を示す説明図であって、ブラジャーの連続生地を二重とする場合を示す。
【図９】  他の参考例を示す説明図であって、ブラジャーの連続生地にロゴマークや図柄を編み出した例を示す。
【符号の説明】
１−フロント部
２−フロント脇部
３−脇布部
４−アンダーテープ部
５−カップ相当部分
６−カップ布
７−不要生地部分
８−編成の切替え線
９−編成の切替え線
１０−フック部
１１−ストラップ
１２−中段層
１３−上段層
１４−編成の切替え線
１５−編成の切替え線
１６−筒編み生地上辺
１７−ロゴマーク
１８−図柄
【図１】
0004058598.tif 000002
【図２】
0004058598.tif 000003
【図３】
0004058598.tif 000004
【図４】
0004058598.tif 000005
【図５】
0004058598.tif 000006
【図６】
0004058598.tif 000007
【図７】
0004058598.tif 000008
【図８】
0004058598.tif 000009
【図９】
0004058598.tif 000010